(57)【要約】【課題】本発明は複数の給油ノズルのうち入力操作により指定された油種の給油ノズルを明示することを課題とする。【解決手段】燃料供給装置１０は、油種表示部１００の内側に照明灯１１０が点灯または点滅して操作者の入力操作によって選択された油種を表示すると共に、その下方に配置されたノズル収納部６１〜６３に収納された給油ノズル８１〜８３の吐出パイプ８６付近に光を照射する。また、照明灯１１０は各油種毎に設けられ、入力操作部４０の操作により選択された油種に対応する給油ノズルに対して光を照射して操作者が給油ノズルを間違えないようにスポットライトによって報知する。また、照明灯１１０からの光は、給油ノズル８２の吐出パイプ８６付近の照射領域１２０に照射されるため、操作者からみると、照射領域１２０が見やすくなっている。【選択図】図５
2007253959.tif 000002
【特許請求の範囲】
【請求項１】
内部に燃料供給経路を収納する筐体と、
該筐体の上部に設けられ、燃料供給条件が入力される入力操作部と、
前記燃料供給経路に連通された複数の燃料供給ホースの端部に接続された複数のノズルと、
前記筐体に設けられ、前記複数のノズルを収納する複数のノズル収納部と、を有する燃料供給装置において、
前記複数のノズル収納部の上方に設けられた複数の照明灯と、
前記入力操作部により入力された入力データに応じた一のノズル収納部付近に光を照射するように一の照明灯を点灯させる制御手段と、
を備えたことを特徴とする燃料供給装置。
【請求項２】
前記複数のノズル収納部は、前記筐体の上部より下方で前記筐体の内部に傾斜した傾斜面に設けられ、
前記複数の照明灯は、夫々前記複数のノズル収納部に収納された各ノズルに光を照射することを特徴とする請求項１に記載の燃料供給装置。
【請求項３】
前記制御手段は、前記燃料供給経路による燃料の供給が開始されると、前記照明灯による光の照射方法を変更することを特徴とする請求項１に記載の燃料供給装置。
【請求項４】
前記制御手段は、前記燃料供給経路による燃料の供給が停止されると、前記照明灯による光の照射方法を変更することを特徴とする請求項１に記載の燃料供給装置。
【請求項５】
前記制御手段は、入力操作部により入力された入力データに応じた一のノズル収納部付近に光を照射した状態で他のノズルが前記ノズル収納部から取り上げられた場合には、前記複数の照明灯による光の照射方法を変更することを特徴とする請求項１に記載の燃料供給装置。
【発明の詳細な説明】
【技術分野】
【０００１】
本発明は燃料供給装置に係り、特に種別の異なる複数の燃料を供給する複数のノズルの中から任意のノズルを選択して燃料供給を行う燃料供給装置に関する。
【背景技術】
【０００２】
燃料供給装置としては、例えば、自動車の燃料タンクにガソリンなどの燃料を供給する計量機がある（例えば、特許文献１参照）。
【０００３】
また、この種の燃料供給装置では、複数の油種（ガソリン、軽油など）を選択的に給油することを可能にするため、各油種毎の燃料供給経路を有しており、各燃料供給経路に連通された給油ホースが筐体正面の設けられたホース継ぎ手に接続されている。そして、各給油ホースの先端は、自動車の給油口に挿入される給油ノズルに接続されている。また、燃料供給装置の前面及び背面には、上記給油ノズル、給油ホースの他に給油ノズルを収納するノズル収納部（「ノズル掛け」とも呼ばれる）及び給油条件（油種選択や給油量または給油金額、満タン等）の入力を行う入力操作部（タッチパネル方式の液晶パネルまたは複数の操作釦を有する）や流量表示器などが設けられている。
【特許文献１】特開２００５−３０６４５７号公報
【発明の開示】
【発明が解決しようとする課題】
【０００４】
しかしながら、上記特許文献１に記載された燃料供給装置では、油種選択した後に操作者自身が指定した油種の給油ノズルを選択する際に給油ノズルの色やノズル収納部に表示された油種プレートをみてどの給油ノズルが指定した油種のものかを確認することになる。また、音声ガイダンス機能を有する燃料供給装置の場合、操作者は音声ガイダンスに従って指定した油種の給油ノズルをノズル収納部から取り上げることになるが、どの給油ノズルを取り上げるのかは、操作者自身の判断で行うことになる。
【０００５】
従って、従来の燃料供給装置においては、入力操作部の操作により指定した油種と、ノズル収納部から取り上げた給油ノズルの油種とが一致しているか否かの判断を操作者自身が行うため、操作者が勘違いしていた場合、例えば、レギュラーガソリンを給油するつもりで、軽油用の給油ノズルを取り上げてしまった場合には、入力操作部で選択した油種と給油ノズルの油種とが不一致となり油が供給できないという問題があった。
【０００６】
そこで、本発明は上記事情に鑑み、上記課題を解決した燃料供給装置を提供することを目的とする。
【課題を解決するための手段】
【０００７】
上記課題を解決するため、本発明は以下のような手段を有する。
【０００８】
本発明は、内部に燃料供給経路を収納する筐体と、該筐体の上部に設けられ、燃料供給条件が入力される入力操作部と、前記燃料供給経路に連通された複数の燃料供給ホースの端部に接続された複数のノズルと、前記筐体に設けられ、前記複数のノズルを収納する複数のノズル収納部と、を有する燃料供給装置において、前記複数のノズル収納部の上方に設けられた複数の照明灯と、前記入力操作部により入力された入力データに応じた一のノズル収納部付近に光を照射するように一の照明灯を点灯させる制御手段と、を備えたことを特徴とする。
【０００９】
また、前記複数のノズル収納部は、前記筐体の上部より下方で前記筐体の内部に傾斜した傾斜面に設けられ、前記複数の照明灯は、前記複数のノズル収納部に収納された各ノズルに光を照射することを特徴とする。
【００１０】
前記制御手段は、前記燃料供給経路による燃料の供給が開始されると、前記照明灯による光の照射方法を変更することを特徴とする。
【００１１】
また、前記制御手段は、前記燃料供給経路による燃料の供給が停止されると、前記照明灯による光の照射方法を変更することを特徴とする。
【００１２】
また、前記制御手段は、入力操作部により入力された入力データに応じた一のノズル収納部付近に光を照射した状態で他のノズルが前記ノズル収納部から取り上げられた場合には、前記複数の照明灯による光の照射方法を変更することを特徴とする。
【発明の効果】
【００１３】
本発明によれば、複数のノズル収納部の上方に設けられた複数の照明灯と、入力操作部により入力された入力データに応じた一のノズル収納部付近に光を照射するように一の照明灯を点灯させる制御手段とを備えたため、操作者が複数のノズルのうち光が照射されたノズルを取り上げることにより、入力操作部の入力操作により指定した種別のノズルを用いて燃料供給することができる。そのため、操作者の勘違いによる油の供給不能を防止することが可能になる。
【００１４】
また、本発明によれば、複数のノズル収納部が、筐体の上部より下方で筐体の内部に傾斜した傾斜面に設けられ、複数の照明灯が、複数のノズル収納部に収納された各ノズルに光を照射するため、照明灯からの光が日中でも見やすくなっており、操作者が指定した油種のノズルを識別しやすくすることができる。
【００１５】
また、本発明によれば、燃料供給経路による燃料の供給が開始されたとき、あるいは、燃料供給経路による燃料の供給が停止されたとき、あるいは種別の異なるノズルを間違って取り上げたときに、照明灯による光の照射方法を変更するため、操作者に対して視覚的に現在の状況を報知することが可能になる。
【発明を実施するための最良の形態】
【００１６】
以下、図面を参照して本発明を実施するための最良の形態について説明する。
【実施例１】
【００１７】
図１は本発明による燃料供給装置の一実施例を示す正面図である。図２は図１に示す燃料供給装置の横断面図である。図３は図１に示す燃料供給装置の側断面図である。尚、図３では、片側の入力操作部とノズル収納部の位置関係のみを示しており、他の機器を省略してある。
【００１８】
図１乃至図３に示されるように、燃料供給装置１０は、コンクリート製のアイランド２０上に設置された筐体３０と、筐体３０の前面及び背面に設けられた入力操作部４０と、流量表示器５０と、複数（本実施例では３種類）のノズル収納部６１〜６３とを有する。
【００１９】
入力操作部４０は、筐体３０の上部３２に設けられており、例えば、タッチパネル方式の液晶パネル４２が用いられている。この液晶パネル４２が設けられた上部３２の前面（取付面）は、垂直面よりも装置側に所定角度(例えば、θ＝１５〜２０度)傾斜した上向きの傾斜面になっており、操作者から画面がみやすい角度に設定されている。また、液晶パネル４２の上部には、赤外線センサなどからなる人検知センサ４４が設けられている。そして、給油操作を行う操作者が液晶パネル４２の前に立つと、人検知センサ４４の検知信号がオンになることで、液晶パネル４２に油種選択画面や給液量をプリセットするためのプリセット画面などが順次表示される。
【００２０】
操作者は、液晶パネル４２に表示された画面に触れることで油種選択の入力操作や給液量の入力操作を行える。また、本実施例では、液晶パネル４２の画面表示と共に音声ガイドにより操作手順をガイダンスする機能（詳細は省略する）も有している。
【００２１】
さらに、液晶パネル４２の右側には、クレジットカード用のカードリーダ４６、紙幣投入部４７、インタホン４８、レシート発行部４９などの各種機器が設けられている。尚、本実施例では、入力操作部４０に液晶パネル４２以外の機器が配置されているが、これらの機器は入力操作部４０の必須のものではなく、例えば、インタホン４８を液晶パネル４２の左側に配置しても良い。
【００２２】
また、本実施例においては、入力操作部４０及び流量表示器５０などの電気系統が筐体３０の上部３２に集中的に配置されているため、燃料供給系路と電気系路とが分離された防爆構造となっている。
【００２３】
また、筐体３０の内部には、各油種毎の燃料供給経路（給液管路、ポンプ、流量計、電磁弁などを有する）が収納されており、筐体３０の前面及び背面には、各燃料供給経路に連通されたホース継ぎ手７１〜７３が設けられている。尚、筐体３０の左右側に配置されたホース継ぎ手７１と７３は、筐体３０の上面近傍の高さ位置に設けられている。そして、水平方向の中央付近に配置されたホース継ぎ手７２は筐体３０の中間部３４に設けられている。
【００２４】
さらに、中間部３４に設けられたノズル収納部６１〜６３のうちノズル収納部６１と６３は、筐体３０の左右両端近傍に配置され、中央付近のノズル収納部６２は筐体３０の正面からみて右方向にずらして配置されている。そのため、中央付近のノズル収納部６２は液晶パネル４２の下方より右方向にずれた位置にあり、且つホース継ぎ手７２も液晶パネル４２の下方より右方向にずれた位置にある。
【００２５】
また、ノズル収納部６１〜６３には、各油種毎の給油ノズル８１〜８３が収納され、給油ノズル８１〜８３の把持部８５にはホース継ぎ手７１〜７３に連通された給油ホース９１〜９３が接続されている。前述したように、本実施例では、中央付近のノズル収納部６２及びホース継ぎ手７２が液晶パネル４２の下方より右方向にずれた位置に設けられているため、操作者が液晶パネル４２に表示された画面をみながら入力操作を行う場合にノズル収納部６２より手前側に突出した給油ノズル８２の把持部８５や給油ホース９２に接触することなく入力操作を行える。従って、操作者は、液晶パネル４２を操作する際に給油ノズル８２の把持部８５や給油ホース９２が邪魔にならずに液晶パネル４２に近づくことができるので、例えば、手や服が給油ノズル８２の把持部８５や給油ホース９２に接することを気にせずに入力操作を行える。
【００２６】
図２に示されるように、筐体３０は、上方からみると、前面及び背面に筐体内部に向けて鉢状の凹部が形成されている。筐体３０の前面及び背面において、左右両端が中央側を向くように傾斜された傾斜面３６が形成され、この傾斜面３６にノズル収納部６１と６３が設けられている。よって、ノズル収納部６１，６３は、夫々隣接する他のノズル収納部６２の方向に傾いた状態に設けられている。そのため、筐体３０の水平方向の中央付近で入力操作を行った操作者が給油ノズル８１または８３の油種を選択した場合でも、左右両側付近に設けられた給油ノズル８１または８３の把持部８５を把持して容易に取り上げることができる。
【００２７】
さらに、筐体３０の中間部３４は、図３に示されるように、入力操作部４０及び流量表示器５０よりも低い位置に設けられており、且つノズル収納部６１〜６３の取付面は垂直面よりも装置側に所定角度(例えば、θ＝１５〜２０度)傾斜した上向きの傾斜面に形成されている。そのため、側面からみると上部３２と中間部３４との境界部分は、くびれた形状になっている。すなわち、入力操作部４０の取付面とノズル収納部６１〜６３の取付面との境界部分に装置内側に凹んだ段差部３８が形成されている。
【００２８】
このように筐体３０に段差部３８を設けることにより、垂直面に対して上向きに傾斜した状態に設けられたノズル収納部６１〜６３に収納された給油ノズル８１〜８３を取り上げることになり、上方から給油ノズル８１〜８３を持ちやすくなっており、入力操作後のノズル操作を良好に行うことができる。また、ノズル収納部６１〜６３は、入力操作部４０の下方に配置されており、そして入力操作部４０の下方にはノズル収納部６１〜６３に収納された給油ノズル８１〜８３が設けられている。
【００２９】
さらに、ノズル収納部６１〜６３は、図４に示されるように、給油ノズル８１〜８３の把持部８５の角度が水平方向側に傾くように取り付けられている。すなわち、給油ノズル８１〜８３は、ノズル収納部６１〜６３に収納された状態においては、吐出パイプ８６がより筐体３０の内側に挿入された状態となる。
【００３０】
従って、操作者は、ノズル収納部６１〜６３に収納された給油ノズル８１〜８３を上方から見下ろすようになるが、上部３２の下側に形成されたくびれ部分に設けられたノズル収納部６１〜６３が設けられているので、収納された給油ノズル８１〜８３を見やすくなっている。
【００３１】
図５及び図６に示されるように、筐体３０の上部３２の下端には、油種を表示するための油種表示部１００が設けられている。この油種表示部１００の内側には、照明灯１１０が点灯または点滅して操作者の入力操作によって選択された油種を表示すると共に、その下方に配置されたノズル収納部６１〜６３に収納された給油ノズル８１〜８３の吐出パイプ８６付近に光を照射する。また、照明灯１１０は各油種毎に設けられ、入力操作部４０の操作により選択された油種に対応する給油ノズルに対して光を照射して操作者が給油ノズルを間違えないようにスポットライトによって報知する。
【００３２】
また、照明灯１１０からの光は、給油ノズル８２の吐出パイプ８６付近の照射領域１２０に照射されるため、操作者からみると、照射領域１２０が見やすくなっている。従って、油種選択の入力操作をした後、給油ノズル８１〜８３のうち照明灯１１０からの光が照射された一の給油ノズルを取り上げて給油操作を行うことで油種間違いを防止することができる。
【００３３】
尚、照明灯１１０から照射された光の照射領域１２０は、図５及び図６において、一点鎖線で示す楕円形状の領域であるが、これに限らず、例えば、把持部８５に光を照射するようにしても良い。また、照明灯１１０は、図５中破線で示すように油種表示部１００と別個に設ける構成としても良い。
【００３４】
図７は燃料供給装置１０の制御系の構成を示すブロック図である。図７に示されるように、燃料供給装置１０に搭載された制御装置１３０は、上記人検知センサ４４からの検知信号が入来すると、記憶手段１３２に格納された制御プログラムを起動させ、操作手順のガイダンス（液晶モニタ４２に表示させる画像によるガイダンス、及び音声による音声ガイダンスを含む）を行う。さらに、制御装置１３０は、入力操作部４０により入力された設定データ（油種、給油量、給油金額などの入力データを含む）を記憶手段１３２に記憶させる。
【００３５】
また、制御装置１３０は、各油種毎の燃料供給経路に設けられた機器を制御しており、本実施例では、油種Ａ〜Ｃを供給するためのポンプ１４０Ａ〜１４０Ｃ、流量計１５０Ａ〜１５０Ｃ、ノズルスイッチ１６０Ａ〜１６０Ｃ、照明灯１１０Ａ〜１１０Ｃが接続されている。尚、ノズルスイッチ１６０Ａ〜１６０Ｃは、ノズル収納部６１〜６３に設けられたスイッチであり、給油ノズル８１〜８３がノズル収納部６１〜６３に掛止された状態のときオン（検出信号出力）となり、給油ノズル８１〜８３がノズル収納部６１〜６３から取り上げられるとオフ（検出信号なし）となる。
【００３６】
また、照明灯１１０Ａ〜１１０Ｃは、図５に示されるように、筐体３０の上部３２の下側に設けられ、且つ、上部３２の下方で装置内側に傾斜した中間部３４にノズル収納部６１〜６３が設けられているため、ノズル収納部６１〜６３に太陽光が直接照射されることがない。そのため、照明灯１１０Ａ〜１１０Ｃからの光がノズル収納部６１〜６３に収納された給油ノズル８１〜８３に照射されると、日中でもスポットライトのように給油ノズル８１〜８３の存在を浮かび上がらせることができる。
【００３７】
よって、操作者は、照明灯１１０Ａ〜１１０Ｃのうち何れかの光が照射されることにより入力操作部４０で入力した油種に対応した給油ノズルが給油ノズル８１〜８３の中のどれであるかを視覚的に確認することが可能になる。これにより、操作者が入力操作部４０で入力した油種と異なる油種の給油ノズルを誤って取り上げることを未然に防止することができる。
【００３８】
ここで、制御装置１３０が実行する制御処理について図８に示すフローチャートを参照して説明する。図８のＳ１１において、人検知センサ４４からの検知信号が入来すると、Ｓ１２に進み、入力操作部４０の操作によって入力された供給予定情報としての設定データ（油種、給油量、給油金額などの入力データを含む）を読み込む。
【００３９】
続いて、Ｓ１３において、供給予定情報の入力が完了したことが、例えば、確認釦（図示せず）の操作により確認されると、Ｓ１４に進み、供給予定油種に対応する照明灯１１０Ａ〜１１０Ｃのうち何れかを点滅(間欠的に点灯）させてノズル収納部６１〜６３のうち設定された油種の給油ノズル（８１〜８３の何れか）が収納された領域に光を照射させる（図５参照）。本実施例では、給油ノズル８１〜８３の何れかの把持部（操作者が把持する部分）周辺の照射領域１２０に照明灯１１０の光が照射されており、給油すべき油種の給油ノズルを周囲よりも明るくして操作者に対して視覚的に表示することができる。この場合、照明灯１１０Ａ〜１１０Ｃのうち何れかを点灯させる際に、所定の周期で点灯させ光の照射を断続的に行うように点滅させることも可能である。
【００４０】
続いて、Ｓ１５に進み、給油ノズル８１〜８３のうち供給予定油種（設定油種）に対応する給油ノズル、すなわち、照明灯１１０からの光を照射された給油ノズルが取り上げられた否かをチェックする。このＳ１５において、照明灯１１０からの光を照射された給油ノズルのノズルスイッチ１６０（１６０Ａ〜１６０Ｃの何れか）がオフにならない場合は、Ｓ１６に進み、照明灯１１０からの光を照射されない他の給油ノズルのノズルスイッチがオフになったか否かをチェックする。
【００４１】
Ｓ１６において、照明灯１１０からの光を照射されない他の給油ノズルのノズルスイッチがオフになった場合は、Ｓ１７に進み、全照明灯１１０Ａ〜１１０Ｃを点滅させてノズル間違いであることを操作者に知らせる。この場合、照明灯１１０Ａ〜１１０Ｃの点滅(間欠的に点灯）は、Ｓ１４の場合よりも周期が短く設定されており、点灯方法が異なるように設定されている。そのため、操作者は、全照明灯１１０Ａ〜１１０Ｃの点滅により間違いに気付き、一旦取り上げた給油ノズルをノズル収納部に戻すことになる。
【００４２】
次のＳ１８では、間違えて取り上げた給油ノズルがノズル収納部に戻されたか否かをチェックする。Ｓ１８において、間違えて取り上げた給油ノズルに対応するノズルスイッチ１６０（１６０Ａ〜１６０Ｃの何れか）がオンに復帰すると、Ｓ１９に進み、全照明灯１１０Ａ〜１１０Ｃを消灯させて給油ノズルがノズル収納部に戻されたことを報知する。その後は、前述したＳ１４以降の処理を行う。
【００４３】
また、上記Ｓ１５において、照明灯１１０からの光を照射された給油ノズルのノズルスイッチ１６０（１６０Ａ〜１６０Ｃの何れか）がオフになった場合は、Ｓ２０に進み、給油許可が事務所に設置されたＰＯＳ装置から給油許可が入力されたか否かをチェックする。
【００４４】
Ｓ２０でＰＯＳ装置から給油許可が入力された場合は、Ｓ２１に進み、指定された油種のポンプ１４０（１４０Ａ〜１４０Ｃの何れか）を起動させる。続いて、Ｓ２２に進み、供給予定油種（設定油種）に対応する給油ノズルがノズル収納部（６１〜６３の何れか）に戻されたか否かをチェックする。もし、Ｓ２２において、供給予定油種（設定油種）に対応する給油ノズルがノズル収納部（６１〜６３の何れか）に戻されて対応するノズルスイッチがオンになった場合は、給油操作を中止したものと判断して後述するＳ３１に移行する。
【００４５】
また、上記Ｓ２２において、供給予定油種（設定油種）に対応する給油ノズルがノズル収納部（６１〜６３の何れか）に戻されていない場合は、Ｓ２３に進み、ＰＯＳ装置から給油許可取り消しが入力されたか否かをチェックする。そして、Ｓ２３において、給油許可取り消しが入力された場合は、Ｓ２４に進み、全照明灯１１０Ａ〜１１０Ｃを消灯させて給油が禁止されたことを報知する。
【００４６】
また、上記Ｓ２３において、給油許可取り消しが入力されない場合は、Ｓ２５に進み、給油開始されたか否かをチェックする。すなわち、Ｓ２５では、設定された油種の流量計１５０（１５０Ａ〜１５０Ｃの何れか）から流量パルスが入力されたか否かをチェックしており、流量パルスが入力された場合に給油が開始されたものと判断する。また、Ｓ２５において、流量パルスが入力されない場合は、操作者が給油ノズルのノズルレバーを開弁操作しない可能性があるので、上記Ｓ２１に戻り、Ｓ２２以降の処理を再度実行する。
【００４７】
Ｓ２５で流量パルスが入力された場合は、給油が開始されたので、Ｓ２６に進み、給油中の給油ノズル（８１〜８３の何れか）に対応する照明灯１１０を点灯させる。これにより、照明灯１１０の点灯方法がＳ１４の場合と異なるため、操作者は指定した給油ノズルが給油中であることを認識することができる。
【００４８】
次のＳ２７では、当該給油ノズルによる給油が停止したか否かをチェックする。このＳ２７において、流量計１５０（１５０Ａ〜１５０Ｃの何れか）からの流量パルスが入力された場合は、Ｓ２８に移行して流量計により計測された流量積算値（実供給量）が入力操作部４０の操作によって設定された供給予定量（プリセット値）に達したか否かをチェックする。そして、Ｓ２８において、流量計により計測された流量積算値（実供給量）が供給予定量（プリセット値）に達していないときは、上記Ｓ２７の処理に戻り、Ｓ２７、Ｓ２８の処理を繰り返す。
【００４９】
また、上記Ｓ２７において、流量計１５０（１５０Ａ〜１５０Ｃの何れか）からの流量パルスが入力されない場合、あるいは上記Ｓ２８において、流量計により計測された流量積算値（実供給量）が供給予定量（プリセット値）に達したときは、Ｓ２９に進み、給油を終了した当該給油ノズルに対応する油種の照明灯１１０（１１０Ａ〜１１０Ｃのうち何れかを点滅(間欠的に点灯）)させる。これにより、当該給油ノズルを戻すべきノズル収納部に光が照射されることになるため、操作者は、給油終了した給油ノズルを当該油種に対応するノズル収納部に間違いなく戻すことができる。
【００５０】
次のＳ３０では、当該ノズル収納部のノズルスイッチ１６０（１６０Ａ〜１６０Ｃの何れか）がオンになったか否かをチェックする。このＳ３０において、給油終了した油種のノズルスイッチがオンになった場合、Ｓ３１に進み、当該油種のポンプ１４０（１４０Ａ〜１４０Ｃの何れか）を停止させると共に、当該油種に対応する照明灯１１０を消灯させる。
【００５１】
このように、操作者が複数の給油ノズル８１〜８３のうち光が照射された給油ノズルを取り上げることにより、入力操作部４０の入力操作により指定した油種(種別)の給油ノズルを用いて燃料供給することができる。そのため、操作者の勘違いによるコンタミネーションを防止することが可能になる。
【００５２】
また、本実施例では、照明灯１１０（１１０Ａ〜１１０Ｃ）を消灯と点灯または点滅(間欠的に点灯）に分けて点灯方法を変更する場合について説明したが、点灯方法としては、上記のような２種類に限りものではなく、例えば、点滅には点灯時間を変化させる方法と消灯時間を変化させる方法と、点灯、消灯を繰り返す周期を変化させる方法が考えられる。さらには、照明灯１１０（１１０Ａ〜１１０Ｃ）が調光機能を有する場合には、給油すべき油種に対応する照明灯の明るさを周期的に変化させたり、あるいは、明暗の周期を変化させる方法も考えられる。
【００５３】
また、指定した油種の給油ノズルを目立つように、当該油種に対応する照明灯の光強度を瞬間的に高めることでストロボ発光のようにして強調することも可能である。また、別の点灯方法としては、例えば、Ｓ１７において、全ての照明灯１１０Ａ〜１１０Ｃを点滅させる代わりに各照明灯１１０Ａ〜１１０Ｃを時間差で点灯させることで、光が移動するようにしても良い。
【産業上の利用可能性】
【００５４】
上記実施例では、ガソリンや軽油などの燃料を供給する場合を例に挙げて説明したが、これに限らず、他の燃料（例えば、液化天然ガス（ＬＮＧ）や液化石油ガス（ＬＰＧ）や都市ガスなど）あるいは燃料電池で使用される水素などを供給する装置にも本発明を適用できるのは勿論である。
【００５５】
また、上記実施例では、給油ノズルやノズル収納部が３系統有する場合を一例として挙げたが、これに限らず、４系統以上を有する装置にも適用することができるのは言うまでもない。
【図面の簡単な説明】
【００５６】
【図１】本発明による燃料供給装置の一実施例を示す正面図である。
【図２】図１に示す燃料供給装置の横断面図である。
【図３】図１に示す燃料供給装置の側断面図である。
【図４】入力操作部とノズル収納部の位置関係を拡大して示す縦断面図である。
【図５】ノズル収納部に収納された給油ノズルに光を照射する場合を示す縦断面図である。
【図６】ノズル収納部に収納された給油ノズルに光を照射する場合を示す正面図である。
【図７】燃料供給装置１０の制御系の構成を示すブロック図である。
【図８】制御装置１３０が実行する制御処理を説明するためのフローチャートである。
【符号の説明】
【００５７】
１０，２００  燃料供給装置
３０  筐体
３８  段差部
４０  入力操作部
４２  液晶パネル
４４  人検知センサ
５０  流量表示器
６１〜６３  ノズル収納部
７１〜７３  ホース継ぎ手
８１〜８３  給油ノズル
８５  把持部
９１〜９３  給油ホース
１００  油種表示部
１１０  照明灯
１３０  制御装置
１３２  記憶手段
１４０，１４０Ａ〜１４０Ｃ  ポンプ
１５０，１５０Ａ〜１５０Ｃ  流量計
１６０，１６０Ａ〜１６０Ｃ  ノズルスイッチ
【図１】
2007253959.tif 000003
【図２】
2007253959.tif 000004
【図３】
2007253959.tif 000005
【図４】
2007253959.tif 000006
【図５】
2007253959.tif 000007
【図６】
2007253959.tif 000008
【図７】
2007253959.tif 000009
【図８】
2007253959.tif 000010